(57)【特許請求の範囲】
【請求項１】
１回のブラケット撮像動作により生成された複数の画像からなるブラケット画像群のうちの少なくとも１つの画像を優先画像としてユーザ選択に基づいて設定する優先画像設定部と、
所定モードにおいて前記ブラケット画像群のうちの前記優先画像のみを表示部に表示させるように前記表示部の表示状態を制御する表示制御部とを具備し、
前記優先画像設定部は、前記ブラケット撮像動作として同一の撮像条件対象について撮像パラメータを異なる値に設定した上で当該設定された撮像パラメータ毎に１つの画像を生成させる第１のブラケット撮像モードと、前記ブラケット撮像動作として互いに異なる撮像条件対象について各撮像パラメータのうちの少なくとも１つが互いに異なるように複数の撮像条件を設定した上で当該設定された撮像条件毎に１つの画像を生成させる第２のブラケット撮像モードとのうち、前記第２のブラケット撮像モードで生成された前記ブラケット画像群のみを前記優先画像の設定対象とする
表示制御装置。
【請求項２】
前記優先画像設定部は、前記優先画像に優先情報を付与し、
前記表示制御部は、前記優先情報に基づいて前記表示状態を制御する
請求項１記載の表示制御装置。
【請求項３】
同一のブラケット撮像動作により生成された前記ブラケット画像群に含まれる各画像に同一のグループ識別子を付与するグループ識別子付与部をさらに具備する請求項１記載の表示制御装置。
【請求項４】
前記優先画像設定部は、前記ブラケット画像群について前記優先画像を第１のフォルダに割り当てるとともに前記優先画像以外の画像を前記第１のフォルダとは異なる第２のフォルダに割り当てる請求項３記載の表示制御装置。
【請求項５】
同一のブラケット撮像動作により生成された前記ブラケット画像群に含まれる各画像を同一のフォルダに割り当てるフォルダ割当部をさらに具備する請求項１記載の表示制御装置。
【請求項６】
前記所定モードを含む複数の表示モードのうちの少なくとも１つの表示モードを指定する指定操作を受け付ける操作受付部をさらに具備し、
前記表示制御部は、前記所定モードを指示する指示操作が受け付けられた場合には前記ブラケット画像群のうちの前記優先画像のみを前記表示部に表示させるように前記表示部の表示状態を制御し、前記所定モード以外の表示モードを指示する指示操作が受け付けられた場合には前記ブラケット画像群に含まれる各画像を前記表示部に表示させるように前記表示部の表示状態を制御する
請求項１記載の表示制御装置。
【請求項７】
ブラケット撮像動作により画像を生成する画像生成部と、
１回のブラケット撮像動作により生成された複数の画像からなるブラケット画像群のうちの少なくとも１つの画像を優先画像としてユーザ選択に基づいて設定する優先画像設定部と、
前記ブラケット撮像動作として同一の撮像条件対象について撮像パラメータを異なる値に設定した上で当該設定された撮像パラメータ毎に１つの画像を前記画像生成部に生成させる第１のブラケット撮像モードと、前記ブラケット撮像動作として互いに異なる撮像条件対象について各撮像パラメータのうちの少なくとも１つが互いに異なるように複数の撮像条件を設定した上で当該設定された撮像条件毎に１つの画像を前記画像生成部に生成させる第２のブラケット撮像モードとにより前記画像生成部を動作させる動作モード制御部とを具備し、
前記優先画像設定部は、前記第２のブラケット撮像モードで生成された前記ブラケット画像群のみを前記優先画像の設定対象とする
撮像装置。
【請求項８】
１回のブラケット撮像動作により生成された複数の画像からなるブラケット画像群のうちの少なくとも１つの画像を優先画像としてユーザ選択に基づいて設定する優先画像設定手順と、
所定モードにおいて前記ブラケット画像群のうちの前記優先画像のみを表示部に表示させるように前記表示部の表示状態を制御する表示制御手順とを具備し、
前記優先画像設定手順は、前記ブラケット撮像動作として同一の撮像条件対象について撮像パラメータを異なる値に設定した上で当該設定された撮像パラメータ毎に１つの画像を生成させる第１のブラケット撮像モードと、前記ブラケット撮像動作として互いに異なる撮像条件対象について各撮像パラメータのうちの少なくとも１つが互いに異なるように複数の撮像条件を設定した上で当該設定された撮像条件毎に１つの画像を生成させる第２のブラケット撮像モードとのうち、前記第２のブラケット撮像モードで生成された前記ブラケット画像群のみを前記優先画像の設定対象とする
表示制御方法。
【請求項９】
１回のブラケット撮像動作により生成された複数の画像からなるブラケット画像群のうちの少なくとも１つの画像を優先画像としてユーザ選択に基づいて設定する優先画像設定手順と、
所定モードにおいて前記ブラケット画像群のうちの前記優先画像のみを表示部に表示させるように前記表示部の表示状態を制御する表示制御手順とをコンピュータに実行させるプログラムであって、
前記優先画像設定手順は、前記ブラケット撮像動作として同一の撮像条件対象について撮像パラメータを異なる値に設定した上で当該設定された撮像パラメータ毎に１つの画像を生成させる第１のブラケット撮像モードと、前記ブラケット撮像動作として互いに異なる撮像条件対象について各撮像パラメータのうちの少なくとも１つが互いに異なるように複数の撮像条件を設定した上で当該設定された撮像条件毎に１つの画像を生成させる第２のブラケット撮像モードとのうち、前記第２のブラケット撮像モードで生成された前記ブラケット画像群のみを前記優先画像の設定対象とする
プログラム。
【発明の詳細な説明】
【技術分野】
【０００１】
本発明は、表示制御装置に関し、特に、ブラケット撮像により生成された画像の表示状態を制御する表示制御装置、ブラケット撮像を行う撮像装置、および、これらにおける処理方法ならびに当該方法をコンピュータに実行させるプログラムに関する。
【背景技術】
【０００２】
近年、人物等の被写体が撮像された撮像画像を記録するデジタルスチルカメラやカメラ一体型レコーダ等の撮像装置が普及している。また、画像認識技術の向上により、画像認識による認識結果に基づいて撮像条件を制御して撮像を行う撮像装置が実現されている。これにより、撮像画像を記録する際の失敗を減少させることができる。
【０００３】
しかしながら、ユーザの好みは多種多様であるため、上述の画像認識技術を用いて撮像された撮像画像が、必ずしもユーザ好みの画像とはならない。
【０００４】
そこで、例えば、露出条件の異なる複数の撮像条件に従って撮像された画像を一覧表示し、この一覧表示された画像の中からユーザが所望の画像を選択し、この選択された画像を記録する撮像装置が開示されている（例えば、特許文献１参照。）。また、例えば、異なる露光設定を有する複数の代替画像を表示して、この代替画像の中からユーザにより選択された画像を記録するデジタルスチルカメラが開示されている（例えば、特許文献２参照。）。
【０００５】
上述の技術によれば、撮像動作時における画像の記録前に、表示されている複数の画像からユーザが所望の画像を選択することができるため、ユーザにより選択されたユーザ好みの画像を記録することができる。しかしながら、例えば、経験の少ないユーザが、撮像動作時における短時間で、表示されている複数の画像から適切な画像を選択することは困難であることが想定される。この場合には、ユーザ好みの撮像画像を記録することができないおそれがある。また、ユーザが誤って画像を選択した場合にはユーザが所望した画像を記録することができない。
【０００６】
そこで、ユーザ好みの撮像画像を記録する方法として、ブラケット撮像が考えられる。このブラケット撮像は、露出値等の撮像条件を変化させながら複数回連続して撮像を行う技術である。例えば、複数の露出値を設定し、これらの露出値に応じてブラケット撮像を行い、基準の露出値に応じて撮像された画像を代表画像として表示するデジタルスチルカメラが開示されている（例えば、特許文献３参照。）。
【特許文献１】特開２００２−１５２５７９号公報（図５）
【特許文献２】特開２００４−３３６７９０号公報（図２）
【特許文献３】特開２００１−２８５７７９号公報（図７）
【発明の開示】
【発明が解決しようとする課題】
【０００７】
上述の従来技術では、ブラケット撮像により生成された複数の画像を記録媒体に記録する。また、記録媒体に記録されている各画像を一覧表示する場合に、ブラケット撮像により記録された各画像については代表画像を表示する。これにより、記録媒体に記録されている各画像を一覧表示する際に、ブラケット撮像により記録された同一の被写体が含まれる複数の画像を重複して表示することを防止することができる。また、一覧表示画面に表示されている代表画像を選択することにより、選択された代表画像が属する画像群に含まれる各画像を表示することができるため、ブラケット撮像により記録された複数の画像の中から所望の画像を見ることができる。
【０００８】
しかしながら、記録媒体に記録されている各画像を一覧表示する場合に表示される代表画像がユーザ好みの画像でないことも考えられる。このように代表画像がユーザ好みの画像でない場合には、ブラケット撮像により生成された複数の画像の中から所望の画像を見るためには、一覧表示されている代表画像を選択し、この代表画像の画像群に含まれる各画像を表示する必要がある。このため、例えば、ブラケット撮像により生成された画像が多数記録されている場合において、各画像群について、ユーザ好みの画像を順次表示させる場合には、この表示操作が煩雑となるおそれがある。
【０００９】
本発明はこのような状況に鑑みてなされたものであり、ブラケット撮像により生成された複数の画像についてユーザ好みの画像を容易に表示させることを目的とする。
【課題を解決するための手段】
【００１０】
本発明は、上記課題を解決するためになされたものであり、その第１の側面は、１回のブラケット撮像動作により生成された複数の画像からなるブラケット画像群のうちの少なくとも１つの画像を優先画像としてユーザ選択に基づいて設定する優先画像設定部と、所定モードにおいて上記ブラケット画像群のうちの上記優先画像のみを表示部に表示させるように上記表示部の表示状態を制御する表示制御部とを具備し、上記優先画像設定部は、上記ブラケット撮像動作として同一の撮像条件対象について撮像パラメータを異なる値に設定した上で当該設定された撮像パラメータ毎に１つの画像を生成させる第１のブラケット撮像モードと、上記ブラケット撮像動作として互いに異なる撮像条件対象について各撮像パラメータのうちの少なくとも１つが互いに異なるように複数の撮像条件を設定した上で当該設定された撮像条件毎に１つの画像を生成させる第２のブラケット撮像モードとのうち、上記第２のブラケット撮像モードで生成された上記ブラケット画像群のみを上記優先画像の設定対象とする表示制御装置およびこれにおける処理方法ならびに当該方法をコンピュータに実行させるプログラムである。これにより、１回のブラケット撮像動作により生成されたブラケット画像群のうちの少なくとも１つの画像を優先画像としてユーザ選択に基づいて設定し、所定モードにおいて、ブラケット画像群のうちの優先画像のみを表示させるように表示状態を制御し、第２のブラケット撮像モードで生成されたブラケット画像群のみを優先画像の設定対象とするという作用をもたらす。
【００１１】
また、この第１の側面において、上記優先画像設定部は、上記優先画像に優先情報を付与し、上記表示制御部は、上記優先情報に基づいて上記表示状態を制御するようにしてもよい。これにより、優先画像に優先情報を付与し、この優先情報に基づいて表示状態を制御するという作用をもたらす。
【００１２】
また、この第１の側面において、同一のブラケット撮像動作により生成された上記ブラケット画像群に含まれる各画像に同一のグループ識別子を付与するグループ識別子付与部をさらに具備するようにしてもよい。これにより、同一のブラケット撮像動作により生成されたブラケット画像群に含まれる各画像に同一のグループ識別子を付与するという作用をもたらす。また、この場合において、上記優先画像設定部は、上記ブラケット画像群について上記優先画像を第１のフォルダに割り当てるとともに上記優先画像以外の画像を上記第１のフォルダとは異なる第２のフォルダに割り当てるようにしてもよい。これにより、ブラケット画像群について、優先画像を第１のフォルダに割り当て、優先画像以外の画像を第２のフォルダに割り当てるという作用をもたらす。
【００１３】
また、この第１の側面において、同一のブラケット撮像動作により生成された上記ブラケット画像群に含まれる各画像を同一のフォルダに割り当てるフォルダ割当部をさらに具備するようにしてもよい。これにより、同一のブラケット撮像動作により生成されたブラケット画像群に含まれる各画像を同一のフォルダに割り当てるという作用をもたらす。
【００１４】
また、この第１の側面において、上記所定モードを含む複数の表示モードのうちの少なくとも１つの表示モードを指定する指定操作を受け付ける操作受付部をさらに具備し、上記表示制御部は、上記所定モードを指示する指示操作が受け付けられた場合には上記ブラケット画像群のうちの上記優先画像のみを上記表示部に表示させるように上記表示部の表示状態を制御し、上記所定モード以外の表示モードを指示する指示操作が受け付けられた場合には上記ブラケット画像群に含まれる各画像を上記表示部に表示させるように上記表示部の表示状態を制御するようにしてもよい。これにより、所定モードを指示する指示操作が受け付けられた場合には、ブラケット画像群のうちの優先画像のみを表示させるように表示状態を制御し、所定モード以外の表示モードを指示する指示操作が受け付けられた場合には、ブラケット画像群に含まれる各画像を表示させるように表示状態を制御するという作用をもたらす。
【００１５】
また、本発明の第２の側面は、ブラケット撮像動作により画像を生成する画像生成部と、１回のブラケット撮像動作により生成された複数の画像からなるブラケット画像群のうちの少なくとも１つの画像を優先画像としてユーザ選択に基づいて設定する優先画像設定部と、上記ブラケット撮像動作として同一の撮像条件対象について撮像パラメータを異なる値に設定した上で当該設定された撮像パラメータ毎に１つの画像を上記画像生成部に生成させる第１のブラケット撮像モードと、上記ブラケット撮像動作として互いに異なる撮像条件対象について各撮像パラメータのうちの少なくとも１つが互いに異なるように複数の撮像条件を設定した上で当該設定された撮像条件毎に１つの画像を上記画像生成部に生成させる第２のブラケット撮像モードとにより上記画像生成部を動作させる動作モード制御部とを具備し、上記優先画像設定部は、上記第２のブラケット撮像モードで生成された上記ブラケット画像群のみを上記優先画像の設定対象とする撮像装置およびこれにおける処理方法ならびに当該方法をコンピュータに実行させるプログラムである。これにより、ブラケット撮像動作により画像を生成し、１回のブラケット撮像動作により生成されたブラケット画像群のうちの少なくとも１つの画像を優先画像としてユーザ選択に基づいて設定し、第２のブラケット撮像モードで生成されたブラケット画像群のみを優先画像の設定対象とするという作用をもたらす。
【発明の効果】
【００１７】
本発明によれば、ブラケット撮像により生成された複数の画像についてユーザ好みの画像を容易に表示させることができるという優れた利点を有する。
【発明を実施するための最良の形態】
【００１８】
次に本発明の実施の形態について図面を参照して詳細に説明する。
【００１９】
図１は、本発明の実施の形態における撮像装置１００の内部構成例を示すブロック図である。撮像装置１００は、システムバス１０１と、レンズ１０２と、絞り機構１０３と、撮像素子１０４と、アナログ信号処理部１０５と、Ａ／Ｄ（Analog/Digital）変換部１０６とを備える。また、撮像装置１００は、レンズ駆動モータ１０７と、絞り駆動モータ１０８と、モータドライバ１０９と、垂直ドライバ１１０と、タイミングジェネレータ（以下では、「ＴＧ（Timing Generator）」と称する。）１１１と、ジャイロセンサ１１２と、閃光発光部１１３とを備える。また、撮像装置１００は、操作部１１４と、デジタル信号処理部（以下では、「ＤＳＰ（Digital Signal Processor）」と称する。）１１５と、モニタ１１６と、記録デバイス１１７と、画像認識部１１８と、制御部１２０とを備える。また、モータドライバ１０９、垂直ドライバ１１０、ＴＧ１１１、ジャイロセンサ１１２、閃光発光部１１３、操作部１１４、ＤＳＰ１１５、画像認識部１１８、および、制御部１２０がシステムバス１０１に接続されて構成される。撮像装置１００は、例えば、ブラケット撮像機能を備えるデジタルスチルカメラやカメラ一体型レコーダによって実現することができる。
【００２０】
レンズ１０２は、被写体からの入射光を取り込んで、その入射光を絞り機構１０３に供給するものである。このレンズ１０２は、レンズ駆動モータ１０７により駆動されて、被写体に対して前後に移動する。これにより、フォーカシングまたはズーミングが行われる。絞り機構１０３は、レンズ１０２を通過した入射光の光量を調整して、その入射光を撮像素子１０４に供給するものである。この絞り機構１０３は、絞り駆動モータ１０８により駆動され、絞りの開度が調節される。
【００２１】
撮像素子１０４は、絞り機構１０３から供給された入射光を受光し、電気的信号に変換させる光電変換素子である。この撮像素子１０４は、垂直ドライバ１１０により駆動される。なお、撮像素子１０４は、各画素の前面に、例えば赤色（Ｒ）光、緑色（Ｇ）光、青色（Ｂ）光の何れかを通すカラーフィルタを備え、各色の画素信号を受光する。また、この撮像素子としては、ＣＣＤ（Charge Coupled Devices）等が使用される。変換された電気信号はアナログ信号処理部１０５に供給される。
【００２２】
アナログ信号処理部１０５は、ＴＧ１１１により駆動され、撮像素子１０４からの電気信号についてノイズを除去する等のアナログ処理を施すものである。このアナログ信号処理部１０５によって処理された信号は、Ａ／Ｄ変換部１０６に供給される。
【００２３】
Ａ／Ｄ変換部１０６は、ＴＧ１１１により駆動され、アナログ信号処理部１０５からの信号をデジタル信号に変換するものである。このＡ／Ｄ変換部１０６によって変換されたデジタル信号は、ＤＳＰ１１５に供給される。
【００２４】
レンズ駆動モータ１０７は、モータドライバ１０９からの指示によりレンズ１０２を駆動するものである。絞り駆動モータ１０８は、モータドライバ１０９からの指示により絞り機構１０３を駆動するものである。モータドライバ１０９は、制御部１２０からの指示に従い、レンズ駆動モータ１０７と絞り駆動モータ１０８とを駆動する。垂直ドライバ１１０は、制御部１２０からの指示に従い撮像素子１０４を駆動する。ＴＧ１１１は、制御部１２０から送信される基準クロックに基づきアナログ信号処理部１０５およびＡ／Ｄ変換部１０６の駆動制御信号を生成する。
【００２５】
ジャイロセンサ１１２は、撮像時の撮像素子１０４の、撮像画像の水平方向または垂直方向の位置的変化に対応する変化（いわゆる、手ブレ等）を検出し、この検出された変化量を制御部１２０に送信する。閃光発光部１１３は、制御部１２０からの指示に従い、被写体へ光線を照射させ、被写体からの光（反射光）を増加させるものである。これにより、周囲の照度が低い状況においても撮像を可能とする。
【００２６】
操作部１１４は、ユーザの種々の操作内容（シャッター、カメラの各種設定、画像の選択等）を制御部１２０に送信するためのスイッチ、ボタン等により構成される。また、操作部１１４は、タッチパネルによっても構成することができる。
【００２７】
ＤＳＰ１１５は、制御部１２０の指示に従い、Ａ／Ｄ変換部１０６からのデジタル信号について、黒レベル補正、ホワイトバランス調節、γ補正等の画像処理を行うものである。このＤＳＰ１１５により画像処理が施された画像データが、モニタ１１６、記録デバイス１１７、画像認識部１１８等に出力される。例えば、ＤＳＰ１１５は、画像処理が施された画像データについて圧縮処理を施し、この圧縮処理が施された画像データ（圧縮画像データ）を記録デバイス１１７に供給する。また、ＤＳＰ１１５は、記録デバイス１１７に記録されている圧縮画像データについて伸張処理を施し、この伸張処理が施された画像データをモニタ１１６に供給する。なお、圧縮方式として、例えばＪＰＥＧ（Joint Photographic Experts Group）方式を採用することができる。
【００２８】
モニタ１１６は、ＤＳＰ１１５から送信された画像データを表示する装置である。このモニタ１１６は、例えば、ＤＳＰ１１５によって画像処理が施された画像データをスルー画面として表示する。また、例えば、このモニタ１１６は、記録デバイス１１７に記録されている画像データを一覧画像として表示する。モニタ１１６は、例えば、ＬＣＤ（Liquid Crystal Display）により実現することができる。
【００２９】
記録デバイス１１７は、ＤＳＰ１１５により画像処理が施された画像データを記録する記録デバイスである。また、記録デバイス１１７は、記録されている画像データをＤＳＰ１１５に供給する。なお、記録デバイス１１７は、撮像装置１００に内蔵するようにしてもよく、撮像装置１００から着脱可能とするようにしてもよい。また、記録デバイス１１７として、半導体メモリ、光記録媒体、磁気ディスク、ＨＤＤ（Hard Disk Drive）等の種々のものを用いることができる。なお、光記録媒体は、例えば、記録可能なＤＶＤ（Digital Versatile Disc）、記録可能なＣＤ（Compact Disc）、ブルーレイディスク（Blu-ray Disc（登録商標））等を用いることができる。
【００３０】
画像認識部１１８は、制御部１２０の指示に従い、ＤＳＰ１１５により画像処理が施された画像データ（撮像画像）に含まれる被写体自体、被写体の状況や周囲状況等を判別するものであり、これらの判別結果である判別情報を制御部１２０に出力する。例えば、画像認識部１１８は、ＤＳＰ１１５により画像処理が施された画像データから特徴量を抽出して、この特徴量に基づいて、この画像データにおける被写体が、特定の撮像シーンに該当するか否かを判別する。そして、この判別結果を制御部１２０に出力する。また、画像認識部１１８は、ＤＳＰ１１５により画像処理が施された画像データに含まれる顔を検出し、この検出結果を制御部１２０に出力する。
【００３１】
例えば、撮像シーンや被写体の判定方法には様々な手法が存在する。例えば、逆光シーンや夜景シーンの判定方法として、撮像画像における画面全体の輝度のヒストグラムを作成し、この作成されたヒストグラムの分布のパターンマッチングを実行することによって、逆光シーンや夜景シーンを判定する方法が存在する。また、撮像画像における画面全体の輝度のヒストグラムによる判定と合わせて、色相情報および光源推定情報を用いることによって、さらに多くのシーンを判定することができる。
【００３２】
また、顔検出技術を用いて被写体に含まれる人の顔を検出する顔検出方法が広く知られている。この顔検出として、例えば、顔の輝度分布情報が記録されているテンプレートと、実画像とのマッチングによって顔を検出する顔検出方法が存在する（例えば、特開２００４−１３３６３７号公報参照。）。これらの顔検出方法を用いて、被写体に人の顔が含まれているか否かを判定することができる。また、被写体に含まれている顔の大きさや位置を検出することができる。
【００３３】
これらの検出に加え、撮像画像における動きベクトル情報からは、被写体の動作状況を推定することができる。また、焦点距離情報またはオートフォーカス位置情報を用いることによって、被写体の存在する撮像装置１００からの距離を把握することができる。これらにより、さらにシーン判定の確度を向上させることが可能となる。
【００３４】
以上で示したシーン判別方法によって、各撮像シーンを判定することができるため、複数の撮像モードの中から、現在の撮像画像における被写体に最適な撮像モードを絞り込むことが可能である。これにより、例えば、ブラケット撮像を行う場合における撮像条件を自動で設定することができる。また、顔が動いている場合や顔が笑っていると判定される場合には、連写モードに移行して撮像機会を逃さないようにすることもできる。
【００３５】
制御部１２０は、プロセッサ（ＣＰＵ等）１２１と、メモリ（ＲＯＭ）１２２と、メモリ（ＲＡＭ）１２３と、メモリ（ＥＥＰＲＯＭ）１２４とを備える。メモリ（ＲＯＭ（Read Only Memory））１２２は、プロセッサ１２１において、種々のソフトウエア処理を行うプログラムを記憶するメモリである。メモリ（ＲＡＭ（Random Access Memory））１２３は、作業用のメモリである。メモリ（ＥＥＰＲＯＭ（Electrically Erasable and Programmable Read Only Memory））１２４は、撮像装置１００が電源オフの間もデータを保持するメモリであり、各種設定条件等が記録される。
【００３６】
プロセッサ（ＣＰＵ（Central Processing Unit）等）１２１は、撮像装置１００全体の動作制御等を行う中枢部分であり、撮像装置１００の各部材の駆動を制御し、動作を統括制御するものである。プロセッサ１２１は、撮像時には、操作部１１４からのユーザの操作入力、ジャイロセンサ１１２からの手ブレ情報、ＤＳＰ１１５からの画像情報、および、画像認識部１１８からの判別情報に基づいて、制御信号を生成する。そして、生成された制御信号をモータドライバ１０９、閃光発光部１１３、垂直ドライバ１１０およびＴＧ１１１等に出力し、レンズ１０２や絞り機構１０３等を動作させることにより、露出、ホワイトバランス、フォーカス、閃光等の制御を行う。
【００３７】
また、プロセッサ１２１は、ＤＳＰ１１５により画像処理が施された画像データを記録する場合には、操作部１１４からのユーザの操作入力に従い、ＤＳＰ１１５に制御信号を送信する。そして、ＤＳＰ１１５により圧縮処理が施された画像データを静止画像ファイルとして記録デバイス１１７に記録させる。また、プロセッサ１２１は、記録デバイス１１７に記録されている静止画像ファイルを表示する場合には、操作部１１４からのユーザの操作入力に従い、ＤＳＰ１１５に制御信号を送信する。そして、記録デバイス１１７に記録されている静止画像ファイルに対応する画像をモニタ１１６に表示させる。
【００３８】
また、プロセッサ１２１は、操作部１１４からのユーザの操作入力に従い、ブラケット撮像の制御を行う。ここで、ブラケット撮像は、撮像条件を変更しつつ短時間に複数回連続して被写体の画像を撮像して記録する撮像画像記録処理である。このブラケット撮像が行われる場合には、１または複数の撮像条件対象について各撮像パラメータが変更された撮像条件を用いて行われる。なお、撮像条件対象は、例えば、露出値、絞り値、ホワイトバランス、フォーカス、ＩＳＯ感度、シャッタースピード、被写界深度、または、閃光の有無の何れか、または、これらの組み合わせ等である。また、本発明の実施の形態では、ユーザ設定ブラケット撮像条件と、オートブラケット撮像条件との少なくとも１つの撮像条件を用いて、ブラケット撮像を行う。ここで、ユーザ設定ブラケット撮像条件は、操作部１１４からのユーザの手動操作により設定される撮像条件である。また、オートブラケット撮像条件は、画像認識部１１８から出力された判別情報に基づいて設定された撮像条件である。
【００３９】
また、プロセッサ１２１は、記録デバイス１１７に記録されている画像データに基づいてユーザの好みの画像を学習し、これをオートブラケット撮像条件の設定に反映させる学習機能を備える。この学習機能については、図３を参照して詳細に説明する。
【００４０】
図２は、本発明の実施の形態における撮像装置１００の外観構成例を示す図である。図２（ａ）は、撮像装置１００の外観を示す上面図であり、図２（ｂ）は、撮像装置１００の外観を示す正面図であり、図２（ｃ）は、撮像装置１００の外観を示す背面図である。撮像装置１００は、ズームレンズ５０１と、フォーカスレンズ５０２と、絞り５０３と、イメージャ５０４と、閃光装置５０５と、液晶表示部５０６と、電源スイッチ５０７と、レリーズスイッチ５０８とを備える。また、撮像装置１００は、ズームボタン５０９と、モードダイヤル５１０と、上下左右操作ボタン５１１と、決定ボタン５１２と、キャンセルボタン５１３とを備える。ここでは、外側面に設けられている上下左右操作ボタン５１１、決定ボタン５１２等の操作部材を用いて、液晶表示部５０６に表示される画像やボタン等の選択操作（例えば、ボタンの押下操作）を行うデジタルスチルカメラを例にして示す。なお、ズームレンズ５０１、フォーカスレンズ５０２、絞り５０３およびイメージャ５０４は、撮像装置１００に内蔵されているものであるため、図２では破線で示す。
【００４１】
ズームレンズ５０１は、撮像画像に含まれる被写体を拡大または縮小させるため、被写体に対して前後に駆動するレンズである。フォーカスレンズ５０２は、被写体に含まれる所望の対象物にピントを合わせるために使用されるレンズである。なお、ズームレンズ５０１およびフォーカスレンズ５０２は、図１に示すレンズ１０２に対応する。
【００４２】
また、絞り５０３と、イメージャ５０４と、閃光装置５０５と、液晶表示部５０６とは、図１に示す絞り機構１０３と、撮像素子１０４と、閃光発光部１１３と、モニタ１１６とのそれぞれに対応するため、ここでの詳細な説明を省略する。また、電源スイッチ５０７と、レリーズスイッチ５０８と、ズームボタン５０９と、モードダイヤル５１０と、上下左右操作ボタン５１１と、決定ボタン５１２と、キャンセルボタン５１３とは、図１に示す操作部１１４に対応する。
【００４３】
電源スイッチ５０７は、撮像装置１００の電源のＯＮ／ＯＦＦを切り替えるスイッチである。レリーズスイッチ５０８は、シャッター操作を行うためのスイッチであり、使用者により全押しまたは半押し操作が行われる。例えば、レリーズスイッチ５０８が全押しされた場合には、撮像に最適なオートフォーカス制御およびオート制御が行われ、この全押しの際に撮像されていた画像データが記録デバイス１１７に記録される。また、ブラケット撮像モードが設定されている場合に、レリーズスイッチ５０８が全押しされた場合には、この全押しの際に撮像されていた複数の画像データが記録デバイス１１７に記録される。ここで、ブラケット撮像モードは、ブラケット撮像を行う場合に設定される撮像モードである。なお、レリーズスイッチ５０８が半押しされた場合にも、撮像に最適なオートフォーカス制御やオート制御が行われる。このように半押しされた場合には、例えば、ピントを一度ロックさせるフォーカスロックが行われる。
【００４４】
ズームボタン５０９は、使用者により行われるズーム操作を受け付けるボタンであり、受け付けられたズーム操作の内容に応じてズーム機能が制御され、撮像画像に含まれる被写体を拡大または縮小させることができる。モードダイヤル５１０は、各モードを設定するためのダイヤルである。例えば、ブラケット撮像モード、記録デバイス１１７に記録されている画像を表示させるための画像表示モード等がモードダイヤル５１０の操作により設定される。
【００４５】
上下左右操作ボタン５１１は、液晶表示部５０６に表示されるボタンや画像等の項目を選択する場合に用いられる操作ボタンであり、押下された部分に応じて現在選択されている項目が上下左右に移動する。なお、上下左右操作ボタン５１１の操作については、図６乃至図１０を参照して詳細に説明する。
【００４６】
決定ボタン５１２は、液晶表示部５０６に表示されている各項目の選択状態を確定する場合に用いられるボタンである。キャンセルボタン５１３は、液晶表示部５０６に表示されている各項目の選択状態が確定されている場合に、この確定を解除するために用いられるボタンである。
【００４７】
図３は、本発明の実施の形態における撮像装置１００の機能構成例を示すブロック図である。撮像装置１００は、操作受付部２０１と、動作モード制御部２０２と、撮像部２０３と、自動撮像条件設定部２０４と、記録制御部２０５と、記録部２０６と、表示制御部２０７と、表示部２０８と、優先画像設定部２０９と、ユーザ嗜好判断部２１０とを備える。
【００４８】
操作受付部２０１は、ユーザからの操作入力を受け付けるものであり、この操作入力を動作モード制御部２０２、撮像部２０３、記録制御部２０５、表示制御部２０７および優先画像設定部２０９に出力する。操作受付部２０１は、例えば、撮像部２０３により生成される撮像画像を記録部２０６に記録するための記録指示操作を受け付ける。また、操作受付部２０１は、例えば、記録部２０６に記録されている撮像画像の中から優先画像を設定するための選択操作を受け付ける。また、操作受付部２０１は、例えば、記録部２０６に記録されている撮像画像を表示部２０８に表示させる各表示モードを設定するための設定指示操作を受け付ける。これらの詳細については、各部で説明する。なお、操作受付部２０１は、例えば、図１に示す操作部１１４に対応する。
【００４９】
動作モード制御部２０２は、操作受付部２０１からの操作入力と、自動撮像条件設定部２０４からの自動撮像条件とに基づいて、撮像部２０３の動作モードを制御するものである。ここで、ブラケット撮像モードが設定されている場合に、動作モード制御部２０２は、ブラケット撮像条件を設定し、設定されたブラケット撮像条件を撮像部２０３に供給する。このブラケット撮像条件として、ユーザ設定ブラケット撮像条件と、オートブラケット撮像条件との少なくとも１つが設定される。このオートブラケット撮像条件は、自動撮像条件設定部２０４から出力される自動撮像条件に基づいて設定される。例えば、ユーザ設定ブラケット撮像条件が設定されている場合には、このユーザ設定ブラケット撮像条件と、オートブラケット撮像条件とを用いてブラケット撮像を行うように撮像部２０３が制御される。また、例えば、ユーザ設定ブラケット撮像条件が設定されていない場合には、オートブラケット撮像条件のみを用いてブラケット撮像を行うように撮像部２０３が制御される。なお、動作モード制御部２０２は、例えば、図１に示す制御部１２０に対応する。
【００５０】
撮像部２０３は、動作モード制御部２０２の制御に基づいて、被写体を撮像して撮像画像を生成するものであり、生成された撮像画像を自動撮像条件設定部２０４および記録制御部２０５に出力する。また、撮像部２０３は、操作受付部２０１によりブラケット撮像の開始を指示する開始指示操作が受け付けられた場合には、動作モード制御部２０２から供給されたブラケット撮像条件に従って、被写体を撮像して複数の撮像画像を生成する。そして、生成された複数の撮像画像を記録制御部２０５に順次出力する。なお、撮像部２０３は、例えば、図１に示す撮像素子１０４、アナログ信号処理部１０５、Ａ／Ｄ変換部１０６、ＤＳＰ１１５に対応する。また、撮像部２０３は、例えば、図１に示すレンズ１０２、絞り機構１０３、レンズ駆動モータ１０７、絞り駆動モータ１０８、モータドライバ１０９、垂直ドライバ１１０、ＴＧ１１１、ジャイロセンサ１１２、閃光発光部１１３に対応する。なお、撮像部２０３は、特許請求の範囲に記載の画像生成部の一例である。
【００５１】
自動撮像条件設定部２０４は、撮像部２０３により生成された撮像画像に含まれる被写体自体、被写体の状況や周囲状況等を判別し、これらの判別結果（判別情報）に基づいて自動撮像条件を設定するものである。そして、設定された自動撮像条件を動作モード制御部２０２に供給する。ここで、自動撮像条件は、現在の被写体の状態において最適と判断される撮像条件である。なお、自動撮像条件設定部２０４は、例えば、図１に示す画像認識部１１８および制御部１２０に対応する。
【００５２】
記録制御部２０５は、操作受付部２０１により受け付けられた操作内容に基づいて、撮像部２０３により生成された撮像画像を記録部２０６に記録させるものである。また、記録制御部２０５は、ブラケット撮像モードが設定されている状態でブラケット撮像の開始指示操作が受け付けられた場合には、撮像部２０３により生成された一連の複数の撮像画像に同一のグループ識別子を付与する。そして、これらの各画像を記録部２０６に記録させる。なお、本発明の実施の形態では、ブラケット撮像により記録された撮像画像をブラケット撮像画像と称して説明する。また、１回のブラケット撮像動作において、同一のグループ識別子が付与されて記録された複数の撮像画像をブラケット撮像画像群と称して説明する。ここで、グループ識別子は、例えば、Ｅｘｉｆ（Exchangeable image file format）のメーカーノート（図５に示す）に記録される。このグループ識別子が付与されることにより、同一のブラケット撮像によって記録された各撮像画像を関連付けることができる。また、記録制御部２０５は、同一のグループ識別子が付与された複数の撮像画像を記録部２０６に記録させる際に、これらの各画像を同一のフォルダに割り当てる。なお、記録制御部２０５は、図１に示す制御部１２０に対応する。また、記録制御部２０５は、特許請求の範囲に記載のグループ識別子付与部の一例である。また、記録制御部２０５は、特許請求の範囲に記載のフォルダ割当部の一例である。
【００５３】
記録部２０６は、記録制御部２０５の制御に基づいて、撮像部２０３により生成された撮像画像を記録するものである。また、同一のグループ識別子が付与された複数の撮像画像が関連付けられて記録部２０６に記録される。ここで、記録部２０６に記録されるデータは、メイングループフォルダとサブグループフォルダからなるフォルダ構成を有する。そして、同一のグループ識別子が付与された一連の複数の撮像画像が、同一のメイングループフォルダに割り当てられる。このフォルダ構成については、図４を参照して詳細に説明する。また、記録部２０６は、例えば、図１に示す記録デバイス１１７に対応する。
【００５４】
表示制御部２０７は、操作受付部２０１により受け付けられた操作内容に基づいて、記録部２０６に記録されている撮像画像を表示部２０８に表示させる制御を行うものである。具体的には、優先画像選択モードを設定するための設定指示操作が操作受付部２０１により受け付けられた場合には、記録部２０６に記録されている撮像画像の中からグループ識別子が付与されている画像を抽出し、グループ識別子毎に表示部２０８に表示させる。ここで、優先画像選択モードは、記録部２０６に記録されている撮像画像の中から優先画像を選択するためのモードである。また、優先画像は、同一のグループ識別子が付与されているブラケット撮像画像の中からユーザ選択に基づいて設定される画像である。また、記録部２０６に記録されている画像を表示させる表示モードの設定指示操作が操作受付部２０１により受け付けられた場合には、この指示された表示モードに従って、記録部２０６に記録されている画像を表示部２０８に表示させる。なお、表示制御部２０７は、例えば、図１に示す制御部１２０に対応する。
【００５５】
表示部２０８は、表示制御部２０７の制御に基づいて、記録部２０６に記録されている画像を表示するものである。表示部２０８は、例えば、図１に示すモニタ１１６に対応する。
【００５６】
優先画像設定部２０９は、操作受付部２０１からの操作入力に基づいて、記録部２０６に記録されている撮像画像の中からユーザ選択に基づいて優先画像を設定するものである。具体的には、記録部２０６に記録されているブラケット撮像画像群の中から、ユーザにより選択されたブラケット撮像画像を優先画像として設定する。ここで、優先画像をユーザが選択する場合には、例えば、表示制御部２０７の制御に基づいて、同一の識別子が付与されているブラケット撮像画像が表示部２０８に表示される。そして、表示部２０８に表示されている複数のブラケット撮像画像の中からユーザの選択操作により優先画像が設定される。この優先画像の設定は、例えば、ユーザにより選択されたブラケット撮像画像に優先情報を付与することにより行われる。また、優先画像設定部２０９は、例えば、優先画像をメイングループフォルダに割り当てるとともに、優先画像として選択されなかったブラケット撮像画像をサブグループフォルダに割り当てる。これらにより、優先画像と、優先画像以外のブラケット撮像画像とを区別することができる。このように優先画像を設定することにより、通常の画像の再生時（例えば、プレビューやスライドショー）では、ブラケット撮像画像については、優先画像のみを表示するように制御することができる。この優先情報は、例えば、グループ識別子と同様に、Ｅｘｉｆのメーカーノートに記録することができる。なお、優先画像設定部２０９は、例えば、図１に示す制御部１２０に対応する。
【００５７】
ユーザ嗜好判断部２１０は、記録部２０６に記録されている撮像画像に基づいて、ユーザが好む画像とユーザが好まない画像とを比較解析して学習し、ユーザが嗜好する撮像条件に関する情報であるユーザ嗜好情報を生成するものである。具体的には、ユーザ嗜好判断部２１０は、ブラケット撮像画像について、優先画像と、優先画像以外のブラケット撮像画像とに基づいて、ユーザが好む画像とユーザが好まない画像とを比較解析して学習し、ユーザ嗜好情報を生成する。例えば、ユーザ嗜好判断部２１０は、統計的手法を用いて優先画像を学習することにより、ユーザの好む画像の特徴を判別し、この判別されたユーザの好む画像の特徴に基づいて、ユーザ嗜好情報を生成する。そして、自動撮像条件設定部２０４は、判別情報とともに、ユーザ嗜好判断部２１０により生成されたユーザ嗜好情報を考慮して自動撮像条件を設定する。
【００５８】
しかしながら、現在の被写体の状態、撮像装置１００の機能的な理由、または、撮像装置１００の性能的な理由によっては、ユーザ嗜好情報が考慮された撮像条件による撮像を行うことができない場合がある。この場合には、ユーザの好みを考慮した撮像条件を設定することができないおそれがある。そこで、本発明の実施の形態では、統計的手法を用いて優先画像以外のブラケット撮像画像を学習することにより、ユーザの好まない画像の特徴を判別する。そして、この判別されたユーザの好まない画像の特徴に基づいて、ユーザが嗜好しない撮像条件に関する情報であるユーザ不嗜好情報を生成する。そして、自動撮像条件設定部２０４は、判別情報とともに、ユーザ嗜好判断部２１０により生成されたユーザ不嗜好情報を考慮して自動撮像条件を設定する。このように、ユーザの好まない画像の特徴を判別することができれば、ユーザの好まない画像を撮像しないための撮像条件を設定することができる。
【００５９】
このように、ユーザ嗜好情報およびユーザ不嗜好情報を考慮して自動撮像条件を設定することにより、撮像条件の設定の選択肢を増加させることができる。これにより、ユーザ嗜好情報が考慮された撮像条件による撮像ができない場合でも、少なくとも、ユーザが好まない画像を撮像しないための撮像条件を設定することができる。また、自動撮像条件の設定の選択肢を増加させることにより、撮像画像を記録する際の失敗を減少させることができる。
【００６０】
このように、統計的手法を用いた学習において、ユーザの嗜好が確定している画像は重要な要素となる。このため、本発明の実施の形態では、優先画像として選択されなかったブラケット撮像画像についても、ユーザ嗜好判断部２１０が使用することができるように記録部２０６に記録しておく。例えば、優先画像として選択されなかったブラケット撮像画像を記録部２０６のサブフォルダ（図４に示す）に割り当てて記録することができる。このように、ユーザの嗜好が確定している画像を記録しておくことにより、撮像装置１００の内部にユーザの嗜好に関するデータベースを有することと同等となり、撮像装置１００内部の自己嗜好学習を自動的に行うことができる。なお、ユーザ嗜好情報およびユーザ不嗜好情報の生成を随時更新して行うことにより、撮像条件の設定にユーザの嗜好をさらに反映させることが可能である。また、ユーザ嗜好情報およびユーザ不嗜好情報を生成する代わりに、優先画像として選択されなかったブラケット撮像画像に基づいて、ユーザが好む画像の各撮像パラメータの限度値等を求めておき、この限度値等を用いて撮像条件を設定するようにしてもよい。なお、ユーザ嗜好判断部２１０は、例えば、図１に示す制御部１２０に対応する。
【００６１】
図４は、本発明の実施の形態における記録部２０６に記録されるデータのフォルダ構成例を示す図である。
【００６２】
記録部２０６に記録されるデータは、ルート３０１と、ルート３０１の下位階層に属する複数のフォルダ３１１乃至３１４、３２１乃至３２４とからなる階層フォルダ構成を備える。具体的には、ルート３０１の下位階層には、メイングループフォルダ３１１およびサブグループフォルダ３２１が属する。また、メイングループフォルダ３１１の下位階層には、メインフォルダ（♯１）３１２乃至（♯Ｎ）３１４が属する。また、サブグループフォルダ３２１の下位階層には、サブフォルダ（♯１）３２２乃至（♯Ｎ）３２４が属する。ここで、Ｎは正の整数である。
【００６３】
ここで、ブラケット撮像が行われた場合には、同一のグループ識別子が付与された複数の画像が記録部２０６に記録される。この記録の際に、同一のグループ識別子が付与された複数の画像は、メイングループフォルダ３１１の下位階層に属する同一のメインフォルダに割り当てられる。そして、同一のグループ識別子が付与された複数の画像について、ユーザにより優先画像を選択する選択操作が行われた場合に、優先画像として選択されなかった画像は、サブグループフォルダ３２１の下位階層に属するサブフォルダに割り当てられる。すなわち、優先画像として選択されなかった画像は、メインフォルダからサブフォルダに移動させられる。一方、優先画像として選択された画像は、メイングループフォルダ３１１の下位階層に属するメインフォルダに割り当てられた状態とする。すなわち、メイングループフォルダ３１１の下位階層に属するメインフォルダには優先情報が付与された画像（優先画像）が割り当てられ、サブグループフォルダ３２１の下位階層に属するサブフォルダには優先情報が付与されていない画像が割り当てられる。また、同一の番号（＃）が付与されたメインフォルダおよびサブフォルダには、同一のグループ識別子が付与されている画像が割り当てられる。例えば、サブフォルダ（＃１）３２２には、メインフォルダ（＃１）３１２に割り当てられている画像（優先画像）に付与されているグループ識別子と同一のグループ識別子が付与された画像（優先画像以外の画像）が割り当てられる。
【００６４】
図５は、ＤＣＦ（Design rule for Camera File system）規格により記録される静止画像ファイルのファイル構造の概略を示す図である。ＤＣＦは、デジタルスチルカメラやプリンタ等の機器間で、記録媒体を介して画像の相互利用を実現するためのファイルシステム規格である。また、ＤＣＦでは、Ｅｘｉｆをベースにして記録媒体に記録する場合におけるファイル名の付け方やフォルダの構成が規定されている。このＥｘｉｆは、画像ファイルの中に画像データおよびカメラ情報を付加するための規格であり、画像ファイルを記録するための形式（ファイルフォーマット）を規定するものである。
【００６５】
静止画像ファイル４１０は、ＤＣＦ規格により記録される静止画ファイルであり、図５（ａ）に示すように、付属情報４１１および画像情報４１２から構成されている。画像情報４１２は、例えば、撮像部２０３により生成された画像データ（撮像画像）である。
【００６６】
付属情報４１１は、図５（ｂ）に示すように、属性情報４１３およびメーカーノート４１４から構成されている。属性情報４１３は、静止画像ファイル４１０に関する属性情報等であり、例えば、撮像更新日時、画サイズ、色空間情報、メーカー名等が含まれる。
【００６７】
メーカーノート４１４は、一般的にユーザ独自のデータが記録される領域であり、各メーカーが自由に情報を記録することができる拡張領域である（ＴＡＧＩＤ＝３７５００、MakerNote）。ここで、本発明の実施の形態では、図５（ｃ）に示すように、メーカーノート４１４に、グループ識別子４１５および優先情報４１６を記録する。
【００６８】
図６は、本発明の実施の形態における表示部２０８に表示されるブラケット撮像画像の表示例を示す図である。
【００６９】
優先画像選択画面６１０は、同一のブラケット撮像画像群に含まれるブラケット撮像画像（同一のグループ識別子が付与されているブラケット撮像画像）が一覧表示される画面であり、例えば、ブラケット撮像画像６１１乃至６１３が表示される。ここで、ブラケット撮像画像６１１乃至６１３は、ブラケット撮像により記録された撮像画像であるため、同一の被写体が含まれる。なお、各ブラケット撮像画像に含まれる被写体は同一であるが、各ブラケット撮像画像は異なる撮像条件で撮像されているため、図６に示すように、画像自体はそれぞれ異なっている。
【００７０】
また、本発明の実施の形態では、優先画像選択画面６１０に表示されているブラケット撮像画像の中からユーザが優先画像を選択することにより優先画像を設定する例を示す。なお、優先画像選択画面６１０は、例えば、優先画像選択モードの設定指示操作が操作受付部２０１により受け付けられた場合に表示される。
【００７１】
ここで、優先画像選択画面６１０では、ユーザにより選択されたブラケット撮像画像の周縁に、太線の選択画像マーカを付して表示する。なお、ユーザによる選択操作が行われる前の状態では、特定の位置（初期マーカ配置位置）に表示されているブラケット撮像画像の周縁に選択画像マーカを付すようにしてもよい。図６に示す例では、優先画像選択画面６１０の右上部分の位置を初期マーカ配置位置とし、ユーザによる選択操作が行われる前の状態として、ブラケット撮像画像６１２に選択画像マーカが付されている場合を示す。
【００７２】
優先画像選択画面６１０が表示部２０８に表示されている状態で、優先画像をユーザが選択する場合には、例えば、図２に示す上下左右操作ボタン５１１を用いて選択画像マーカを所望のブラケット撮像画像まで移動させる。例えば、ブラケット撮像画像６１１を優先画像として選択する場合には、上下左右操作ボタン５１１を用いて、ブラケット撮像画像６１２からブラケット撮像画像６１１に選択画像マーカを移動させる。このように、優先画像選択画面６１０において、ブラケット撮像画像６１１がユーザにより選択された場合における表示例を図７に示す。
【００７３】
図７は、本発明の実施の形態における表示部２０８に表示されているブラケット撮像画像の中から優先画像を選択する際の表示例を示す図である。図７（ａ）には、ユーザにより選択されたブラケット撮像画像６２１が拡大表示されている表示例を示す。また、図７（ｂ）には、ユーザにより選択されたブラケット撮像画像６３１の周縁に選択画像マーカが付されて表示されている表示例を示す。また、図７（ｃ）には、ユーザにより選択されたブラケット撮像画像６４１が画面の特定の位置（選択画像配置位置）に配置されて表示されている表示例を示す。なお、図７（ｃ）に示す例では、画面の右上部分の位置を選択画像配置位置とする場合を示す。また、ユーザにより選択されたブラケット撮像画像６２１、６３１、６４１は、図６に示すブラケット撮像画像６１１に対応する。このように、優先画像選択画面において、ユーザにより選択されたブラケット撮像画像を強調表示することにより、現在選択されているブラケット撮像画像をユーザが容易に認識することができる。
【００７４】
なお、選択画像の強調方法は、図７（ａ）乃至（ｃ）の何れの方法を用いるようにしてもよく、他の方法を用いるようにしてもよい。また、優先画像選択画面に一覧表示されるブラケット撮像画像の数が多い場合には、複数の画像毎に分けて表示するようにしてもよく、スクロール表示するようにしてもよい。
【００７５】
図８は、本発明の実施の形態における表示部２０８に表示されているブラケット撮像画像の中から優先画像を選択する際の他の表示例を示す図である。図８に示す例では、優先画像選択画面６５０に表示されているブラケット撮像画像６５１乃至６５３の右下部分に、シャッタースピード、ＩＳＯ感度、Ｆ値、閃光（フラッシュ）の有無等の撮像条件を付して表示する例を示す。例えば、表示部２０８に表示される各ブラケット撮像画像の違いが画面上で分かり難いような場合には、各ブラケット撮像画像とともに撮像条件を表示することにより、ユーザが優先画像を選択し易くすることができる。
【００７６】
図９は、本発明の実施の形態における表示部２０８に表示されているブラケット撮像画像の中から優先画像を選択する際の表示例を示す図である。図９には、図６乃至図８に示す優先画像選択画面において、ユーザにより所望のブラケット撮像画像の選択操作が行われた後に表示される記録モード選択画面の表示例を示す。
【００７７】
記録モード選択画面７１０は、例えば、図６乃至図８に示す優先画像選択画面６２０、６３０、６４０または６５０において、ユーザによりブラケット撮像画像の選択が行われ、さらに、この選択を確定するための選択確定操作が行われた後に表示される画面である。この選択確定操作は、例えば、優先画像選択画面において所望のブラケット撮像画像が選択されている状態で、図２に示す決定ボタン５１２をユーザが押下することにより行われる。
【００７８】
記録モード選択画面７１０には、ブラケット撮像画像７１１乃至７１３と、記録モード選択表示７２０とが表示される。記録モード選択表示７２０には、「１枚保存」ボタン７２１と、「全数保存」ボタン７２２と、「保存しない」ボタン７２３とが表示される。なお、図９、図１０および図１５に示す各ボタンの説明で用いる「押下」は、例えば、図２に示す上下左右操作ボタン５１１による選択操作と、この選択操作の後に行われる決定ボタン５１２による選択確定操作とを含む一連の操作を意味するものとする。
【００７９】
「１枚保存」ボタン７２１は、記録モード選択画面７１０に表示されている１つのブラケット撮像画像のみを優先画像として選択する場合に押下されるボタンである。すなわち、「１枚保存」ボタン７２１の押下により、記録モード選択画面７１０で選択されている１つのブラケット撮像画像に優先情報を付与する優先画像設定処理が行われる。この優先画像設定処理は、図１０（ｂ）に示す「実行」ボタン７３１の押下後に行われる。
【００８０】
「全数保存」ボタン７２２は、記録モード選択画面７１０に表示されているブラケット撮像画像の全てを優先画像として選択する場合に押下されるボタンである。すなわち、「全数保存」ボタン７２２の押下により、記録モード選択画面７１０に表示されているブラケット撮像画像の全てに優先情報を付与する優先画像設定処理が行われる。この優先画像設定処理は、図１０（ｂ）に示す「実行」ボタン７３１の押下後に行われる。なお、同一のグループ識別子が付与されているブラケット撮像画像が多数存在し、これらの全てが記録モード選択画面７１０に表示されていない場合でも、「全数保存」ボタン７２２の押下により、これらの全てを優先画像として選択することができる。例えば、表示されているブラケット撮像画像の全てをユーザが気に入り、これらの全てを優先画像として残しておきたい場合に「全数保存」ボタン７２２が押下される。また、例えば、撮像装置１００の表示画面に表示される各ブラケット撮像画像が小さく、好みの画像をユーザが判断することができない場合に「全数保存」ボタン７２２が押下される。この場合には、例えば、パーソナルコンピュータ等の他の表示制御装置に各ブラケット撮像画像を表示させて、優先画像の選択を行うことができる。
【００８１】
「保存しない」ボタン７２３は、記録モード選択画面に表示されているブラケット撮像画像の何れも優先画像として選択しない場合に押下されるボタンである。例えば、表示されているブラケット撮像の全てをユーザが気に入らず、これらの全てを残しておく必要がないと判断された場合に「保存しない」ボタン７２３が押下される。また、優先画像の選択を試みたものの全てを消したい場合に「保存しない」ボタン７２３が押下される。
【００８２】
図１０は、本発明の実施の形態における表示部２０８に表示されているブラケット撮像画像の中から優先画像を選択する際に用いられる各ボタンの表示例を示す図である。図１０（ａ）乃至（ｄ）に示す各ボタンは、例えば、図９に示す記録モード選択表示７２０の表示位置と同じ位置に表示される。
【００８３】
図１０（ａ）に示す記録モード選択表示７２０は、図９に示す記録モード選択表示７２０と同じものである。図１０（ｂ）には、記録モード選択表示７２０において、「１枚保存」ボタン７２１または「全数保存」ボタン７２２が押下された後に表示される実行確認表示７３０を示す。この実行確認表示７３０において「実行」ボタン７３１が押下されると、記録モード選択画面７１０で選択されたブラケット撮像画像に優先情報が付与され、図１０（ｃ）に示す保存続行確認表示７４０が表示される。すなわち、「１枚保存」ボタン７２１の押下後に「実行」ボタン７３１が押下されると、記録モード選択画面７１０で選択されている１つのブラケット撮像画像に優先情報を付与する優先画像設定処理が行われる。また、「全数保存」ボタン７２２の押下後に「実行」ボタン７３１が押下されると、記録モード選択画面に表示されているブラケット撮像画像の全てに優先情報を付与する優先画像設定処理が行われる。一方、実行確認表示７３０において「キャンセル」ボタン７３２が押下されると、記録モード選択表示７２０が表示される。
【００８４】
図１０（ｃ）には、実行確認表示７３０において、「実行」ボタン７３１が押下された後に表示される保存続行確認表示７４０を示す。この保存続行確認表示７４０において、「さらに保存」ボタン７４１が押下されると、他のブラケット撮像画像も優先画像として選択するため、図１０（ａ）に示す記録モード選択表示７２０が表示される。一方、「保存しない」ボタン７４２が押下されると、図１０（ｄ）に示す終了確認表示７５０が表示される。
【００８５】
図１０（ｄ）には、図１０（ａ）に示す「保存しない」ボタン７２３、または、図１０（ｃ）に示す「保存しない」ボタン７４２が選択された後に表示される終了確認表示７５０を示す。この終了確認表示７５０において、「終了」ボタン７５１が押下されると、優先画像の選択処理の対象となったブラケット撮像画像のフォルダ間の移動処理が行われる。すなわち、優先画像の選択処理の対象となったブラケット撮像画像群の中で、優先画像として選択されなかったブラケット撮像画像が、現在のメインフォルダと同一の番号（＃）が付与されたサブフォルダに割り当てられる。このように、優先画像として選択されたブラケット撮像画像に付与されているグループ識別子と同一のグループ識別子が付与されているブラケット撮像画像の中で、優先画像として選択されなかったブラケット撮像画像についてフォルダ間の移動処理が行われる。このフォルダ間の移動処理が行われた後に、優先画像の選択処理が終了する。一方、終了確認表示７５０において、「キャンセル」ボタン７５２が押下されると、記録モード選択表示７２０が表示される。これらの画面遷移の流れは、図１５に示すフローチャートにより詳細に説明する。
【００８６】
次に本発明の実施の形態における撮像装置１００の動作について図面を参照して説明する。
【００８７】
図１１は、本発明の実施の形態における撮像装置１００によるブラケット撮像画像記録処理の処理手順を示すフローチャートである。この例では、ユーザ設定ブラケット撮像条件が設定されている場合には、このユーザ設定ブラケット撮像条件と、オートブラケット撮像条件とを用いてブラケット撮像を行う場合を例にして説明する。なお、ユーザ設定ブラケット撮像条件が設定されていない場合には、オートブラケット撮像条件のみを用いてブラケット撮像を行う。また、この例では、ブラケット撮像動作が終了した後に、ユーザの操作に応じて、優先画像を選択する場合を例にして説明する。
【００８８】
最初に、ブラケット撮像モードが設定されているか否かが判断される（ステップＳ９０１）。ブラケット撮像モードが設定されていなければ（ステップＳ９０１）、ブラケット撮像画像記録処理の動作を終了する。一方、ブラケット撮像モードが設定されている場合には（ステップＳ９０１）、撮像部２０３により生成された撮像画像に基づいて自動撮像条件を設定する自動撮像条件設定処理が行われる（ステップＳ９３０）。なお、この自動撮像条件設定処理については、図１２および図１３を参照して詳細に説明する。
【００８９】
続いて、ブラケット撮像を開始させる開始指示操作が操作受付部２０１により受け付けられたか否かが判断される（ステップＳ９０２）。例えば、図２に示すレリーズスイッチ５０８をユーザが全押しすることにより開始指示操作を行う。この開始指示操作が受け付けられていない場合には（ステップＳ９０２）、ステップＳ９３０に戻る。一方、開始指示操作が受け付けられた場合には（ステップＳ９０２）、ユーザ設定ブラケット撮像条件が設定されているか否かが判断される（ステップＳ９０３）。
【００９０】
ユーザ設定ブラケット撮像条件が設定されている場合には（ステップＳ９０３）、ユーザ設定ブラケット撮像条件と、オートブラケット撮像条件とを用いて、撮像部２０３がブラケット撮像処理を行う（ステップＳ９０４）。一方、ユーザ操作によるブラケット撮像条件が設定されていない場合には（ステップＳ９０３）、オートブラケット撮像条件を用いて、撮像部２０３がブラケット撮像処理を行う（ステップＳ９０５）。
【００９１】
続いて、記録制御部２０５は、撮像部２０３により生成された複数の撮像画像に、同一のグループ識別子を付与する（ステップＳ９０６）。例えば、これらの各撮像画像の画像ファイルにおけるメーカーノートに同一のグループ識別子が記録される。続いて、記録制御部２０５は、同一のグループ識別子が付与された各撮像画像を記録部２０６に記録させる（ステップＳ９０７）。この記録の際に、同一のグループ識別子が付与された各撮像画像が、同一のメインフォルダに割り当てられる。
【００９２】
図１２および図１３は、本発明の実施の形態における撮像装置１００による自動撮像条件設定処理の処理手順（図１１に示すステップＳ９３０の処理手順）を示すフローチャートである。この自動撮像条件設定処理は、自動撮像条件設定部２０４により行われる。
【００９３】
最初に、撮像部２０３により生成された撮像画像が夜景シーンに該当するか否かが判定される（ステップＳ９３１）。例えば、撮像画像における画面全体の輝度のヒストグラムが作成され、この作成されたヒストグラムの分布のパターンマッチングを行うことにより、夜景シーンに該当するか否かが判定される。夜景シーンであると判定された場合には（ステップＳ９３１）、夜景に最適な設定Ａが設定される（ステップＳ９３３）。ここで、夜景に最適な設定Ａは、例えば、夜景シーンを十分な明るさで撮像することができるように絞りを可能な限り開く設定内容とすることができる。なお、可能な限り絞りを開けても照度が足りない状況においては、シャッター速度を遅くする設定とすることができる。または、ＩＳＯ感度を上げる設定とするようにしてもよい。
【００９４】
続いて、撮像部２０３により生成された撮像画像について顔検出処理が行われ（ステップＳ９３４）、顔が検出されなければ、自動撮像条件設定処理の動作を終了する。この場合には、夜景に最適な設定Ａが自動撮像条件として設定される。
【００９５】
一方、撮像部２０３により生成された撮像画像から顔が検出された場合には（ステップＳ９３４）、検出された顔が主要被写体であるか否かが判定される（ステップＳ９３５）。例えば、顔の個人識別情報、撮像画像における顔の存在する位置、撮像画像における顔の大きさ、または、撮像装置１００から顔までの距離等に基づいて、その顔が主要被写体か否かが判定される。検出された顔が主要被写体でないと判定された場合には（ステップＳ９３５）、自動撮像条件設定処理の動作を終了する。この場合には、夜景に最適な設定Ａが自動撮像条件として設定される。
【００９６】
検出された顔が主要被写体であると判定された場合には（ステップＳ９３５）、主要被写体であると判定された顔の部分に限定した顔領域の輝度が測定され、この測定された輝度値ＢＦと、顔の輝度閾値ＢＦｌｍおよびＢＦｈｍとが比較される（ステップＳ９３６）。この輝度の測定の際には、例えば、夜景シーンに最適なカメラ制御がなされていることを前提とした測定が行われる。また、例えば、顔の内部の代表点を輝度の測定点とし、この代表点における輝度値を輝度値ＢＦとして用いることができる。また、顔全体を測定点とし、これらの測定点における輝度値の平均である平均輝度値を輝度値ＢＦとして用いるようにしてもよい。ここで、顔の輝度閾値ＢＦｌｍおよびＢＦｈｍは、顔の明るさが適当であるか否かを判定するための閾値である。顔の輝度閾値ＢＦｌｍは、最も暗い側の許容輝度を設定する閾値であり、顔の輝度閾値ＢＦｈｍは、最も明るい側の許容輝度を設定する閾値である。例えば、ＢＦｌｍ＞ＢＦである場合には、主要被写体であると判定された顔が暗過ぎると想定される。一方、ＢＦｈｍ＜ＢＦである場合には、主要被写体であると判定された顔が明る過ぎると想定される。このため、ＢＦｌｍ＞ＢＦ、または、ＢＦｈｍ＜ＢＦである場合には、主要被写体であると判定された顔の明るさが適切な明るさとなるように、顔に最適な設定Ｂが設定され（ステップＳ９３７）、自動撮像条件設定処理の動作を終了する。この場合には、夜景に最適な設定Ａと、顔に最適な設定Ｂとが自動撮像条件として設定される。ここで、顔に最適な設定Ｂとして、例えば、顔を明るくする場合には、フラッシュを使用する、シャッター速度を遅くする、または、ＩＳＯ感度を上げる、のうち何れか、または、これらの組み合わせが選択される設定内容とすることができる。
【００９７】
一方、ＢＦｌｍ≦ＢＦ≦ＢＦｈｍである場合には（ステップＳ９３６）、自動撮像条件設定処理の動作を終了する。この場合には、夜景に最適な設定Ａが自動撮像条件として設定される。
【００９８】
ここで、顔を明るくする方法の一例について説明する。例えば、上述したように、フラッシュを使用する、シャッター速度を遅くする、または、ＩＳＯ感度を上げる、のうちの何れか、または、これらの組み合わせを用いることにより、顔を明るくすることができる。なお、顔を明るくする方法の選択に応じて、生成される撮像画像は異なるため、これらの顔を明るくする方法の選択については、撮像状態等により適宜変更する必要がある。
【００９９】
例えば、撮像画像に含まれる顔について最適な制御を行う場合には、顔の背景については最適な制御でなくなることも想定される。このため、例えば、主要被写体として顔の背景を想定してユーザにより撮像が行われている状態で、その顔が主要被写体として撮像装置１００により判定された場合には、ユーザにとって適切な撮像画像を記録することができないおそれがある。このように、主要被写体の判定は重要である。
【０１００】
また、例えば、主要被写体を正しく判定することができた場合でも、主要被写体の位置や動作状態によっては、適切な制御を行うことが困難であることも想定される。例えば、主要被写体が顔である場合において、その顔が撮像装置１００から非常に遠い位置に存在する場合には、フラッシュを使用してもその顔に対して最適な制御を行うことができないことがある。そこで、このような場合には、フラッシュの使用は、選択肢から除外することができる。また、顔が動いているにも場合には、シャッタースピードを遅くすると、その顔に対して最適な制御を行うことができないおそれがある。そこで、このような場合には、シャッタースピードを遅くすることを、選択肢から除外することができる。
【０１０１】
このように、フラッシュの光量が最適か否か、ノイズレベルが許容範囲であるか否か、シャッター速度が遅くなった場合に手ブレが許容範囲であるか否か等の要素は、撮像画像の生成に影響を与えるため、正しく選択される必要がある。
【０１０２】
しかしながら、以上のような選択肢の中から最良の設定を１つに限定することは、困難であることが多い。例えば、撮像装置１００の被写体検出能力では被写体状況を１つに確定することができない場合や、被写体が正しく見つかったとしても被写体の距離や動き等の条件により最適設定を１つに選択することができない場合が想定される。このような場合には、候補となり得る設定の選択肢の中から複数の設定を行う。この設定により撮像を行うことにより、ユーザが好む撮像画像を全く撮像できないという状態を回避することができる。このように、複数の条件設定によりブラケット撮像を行う場合には、記録される撮像画像の数が多くなるが、ユーザ選択により優先画像を設定することができるため、ユーザ好みの画像を容易に表示させることができる。
【０１０３】
また、夜景シーンであると判定されない場合には（ステップＳ９３１）、撮像部２０３により生成された撮像画像が屋外シーンに該当するか否かが判定される（ステップＳ９３２）。屋外シーンに該当すると判定されない場合には（ステップＳ９３２）、通常の自動設定Ｆが設定され（ステップＳ９３８）、自動撮像条件設定処理の動作を終了する。この場合には、通常の自動設定Ｆが自動撮像条件として設定される。
【０１０４】
一方、屋外シーンに該当すると判定された場合には（ステップＳ９３２）、撮像部２０３により生成された撮像画像における動きベクトルが算出される（ステップＳ９３９）。続いて、算出された動きベクトルに基づいて、主要被写体に動きがあるか否かが判定される（ステップＳ９４０）。主要被写体に動きがあると判定された場合には（ステップＳ９４０）、算出された動きベクトルに基づいて、主要被写体の速度が算出され（ステップＳ９４１）、動体に最適な設定Ｃが設定され（ステップＳ９４２）、ステップＳ９４３に進む。動体に最適な設定Ｃは、例えば、主要被写体の速度が速くなるのに応じてシャッター速度を上げて被写体ブレを防止する設定内容とすることができる。なお、シャッター速度の高速化により明るさが不足してしまうことが想定されるが、この明るさの不足分は、絞りを開くかＩＳＯ感度を上げることにより補うことができる。ただし、絞りやＩＳＯ感度が制御の上限に達してしまった場合には、シャッター速度を上げることができない可能性がある。このような場合には、例えば、多少暗くなっても撮像する方法もある。ここで、被写体ブレは無い方がよいかといえば一概にそうとは言えない。多少の被写体ブレがあった方が臨場感の生まれる可能性もあるため、シャッター速度が遅いまま撮像画像の記録動作を行う方法も考えられる。
【０１０５】
また、主要被写体に動きがあると判定されない場合（ステップＳ９４０）、または、動体に最適な設定Ｃが設定された後に（ステップＳ９４２）、撮像画像から顔が検出されているか否かが判定される（ステップＳ９４３）。撮像画像から顔が検出されている場合には（ステップＳ９４３）、検出された顔が主要被写体であるか否かが判定される（ステップＳ９４４）。検出された顔が主要被写体であると判定された場合には（ステップＳ９４４）、設定がＣであり、かつ、検出された顔に動きがあるか否かが判定される（ステップＳ９４５）。ここで、設定がＣである場合は主要被写体に動きがある場合である（ステップＳ９４０乃至Ｓ９４２）。また、ステップＳ９４５は、検出された顔が主要被写体であると判定された後（ステップＳ９４４）の判断であるため、設定がＣである場合には、検出された顔に動きがある場合である。
【０１０６】
設定がＣでないと判定された場合（ステップＳ９４５）、または、検出された顔に動きがないと判定された場合には（ステップＳ９４５）、顔に最適な設定Ｄが設定され（ステップＳ９４６）、自動撮像条件設定処理の動作を終了する。この場合には、顔に最適な設定Ｄが自動撮像条件として設定される。顔に最適な設定Ｄは、例えば、ソフトフォーカス効果を追加する、肌色補正をする、または、絞りを積極的に開き被写界深度を狭くし背景をぼかす等の制御を行う設定内容とすることができる。
【０１０７】
一方、設定がＣであり、かつ、検出された顔に動きがあると判定された場合には（ステップＳ９４５）、顔に最適な設定Ｅが設定され（ステップＳ９４７）、自動撮像条件設定処理の動作を終了する。この場合には、動体に最適な設定Ｃと、顔に最適な設定Ｅとが自動撮像条件として設定される。ここで、設定Ｃにより顔に対して被写体ブレのないシャッター速度が設定されているため、顔に最適な設定Ｅは、例えば、そのシャッター速度を変更しない範囲で絞りを設定する設定内容とすることができる。
【０１０８】
撮像画像から顔が検出されていない場合（ステップＳ９４３）、または、検出された顔が主要被写体であると判定されない場合には（ステップＳ９４４）、設定がＣであるか否かが判定される（ステップＳ９４８）。設定がＣであると判定された場合には（ステップＳ９４８）、自動撮像条件設定処理の動作を終了する。この場合には、動体に最適な設定Ｃが自動撮像条件として設定される。一方、設定がＣでないと判定された場合には（ステップＳ９４８）、通常の自動設定Ｆが設定され（ステップＳ９４９）、自動撮像条件設定処理の動作を終了する。この場合には、通常の自動設定Ｆが自動撮像条件として設定される。
【０１０９】
図１４は、本発明の実施の形態における撮像装置１００による優先画像選択処理の処理手順を示すフローチャートである。この例では、同一のブラケット撮像画像群に含まれる複数のブラケット撮像画像が同一のメインフォルダに割り当てられている場合において、優先画像として選択されなかったブラケット撮像画像をメインフォルダからサブフォルダに移動させる場合を例にして示す。
【０１１０】
最初に、優先画像を選択するための優先画像選択モードに設定する設定指示操作が、操作受付部２０１により受け付けられたか否かが判断される（ステップＳ９７１）。その設定指示操作が受け付けられていない場合には（ステップＳ９７１）、優先画像選択処理の動作を終了する。
【０１１１】
一方、その設定指示操作が受け付けられた場合には（ステップＳ９７１）、表示制御部２０７は、記録部２０６に記録されている複数の画像の中から、１つのブラケット撮像画像群に含まれる各ブラケット撮像画像を抽出する。そして、これらの各ブラケット撮像画像を表示部２０８に表示させる（ステップＳ９７２）。すなわち、同一のグループ識別子が付与されて同一のメインフォルダに属する複数のブラケット撮像画像が表示部２０８に表示される。
【０１１２】
続いて、優先画像設定部２０９は、１つのブラケット撮像画像群に含まれる各ブラケット撮像画像について優先情報付与処理を行う（ステップＳ９８０）。この優先情報付与処理については、図１５を参照して詳細に説明する。なお、ステップＳ９８０は、特許請求の範囲に記載の優先画像設定手順の一例である。
【０１１３】
続いて、優先画像設定部２０９は、優先情報付与処理が終了した複数のブラケット撮像画像のそれぞれについて、優先情報が付与されているか否かを判定する（ステップＳ９７３）。そして、優先画像設定部２０９は、優先情報が付与されているブラケット撮像画像については、メインフォルダに割り当てる（ステップＳ９７４）。すなわち、優先情報が付与されているブラケット撮像画像については、優先情報付与処理の前に属していたメインフォルダ（現在のメインフォルダ）と同じメインフォルダに割り当てられることになるため、フォルダ間の移動はない。一方、優先画像設定部２０９は、優先情報が付与されていないブラケット撮像画像については、現在のメインフォルダと同一の番号（＃）が付与されたサブフォルダに割り当てる（ステップＳ９７５）。続いて、優先画像設定部２０９は、優先情報付与処理が終了したブラケット撮像画像群に含まれる全てのブラケット撮像画像について、フォルダ割り当てが終了したか否かを判定する（ステップＳ９７６）。全てのブラケット撮像画像についてフォルダ割り当てが終了していない場合には（ステップＳ９７６）、ステップＳ９７３に戻る。一方、全てのブラケット撮像画像についてフォルダ割り当てが終了している場合には（ステップＳ９７６）、ブラケット撮像画像群のうちで、優先情報付与処理が終了していないブラケット撮像画像群が存在するか否かが判定される（ステップＳ９７７）。そして、優先情報付与処理が終了していないブラケット撮像画像群が存在する場合には（ステップＳ９７７）、ステップＳ９７２に戻る。一方、優先情報付与処理が終了していないブラケット撮像画像群が存在しない場合には（ステップＳ９７２）、優先画像選択処理の動作を終了する。
【０１１４】
なお、この例では、記録部２０６に記録されている全てのブラケット撮像画像群について優先情報付与処理を行う場合を例にして示すが、ユーザにより指定されたブラケット撮像画像群についてのみ優先情報付与処理を行うようにしてもよい。
【０１１５】
図１５は、本発明の実施の形態における撮像装置１００による優先画像選択処理の処理手順の処理手順のうちの優先情報付与処理手順（図１４に示すステップＳ９８０の処理手順）を示すフローチャートである。
【０１１６】
例えば、図６乃至図８に示すように、優先画像選択画面に表示されている複数のブラケット撮像画像について、ユーザによりブラケット撮像画像の選択操作および選択確定操作が行われる（ステップＳ９８１）。この選択操作および選択確定操作が行われると、図９に示すように、記録モード選択画面７１０が表示される（ステップＳ９８２）。
【０１１７】
続いて、記録モード選択画面７１０に表示されている記録モード選択表示７２０の何れのボタンが押下されたかが判定される（ステップＳ９８３）。記録モード選択表示７２０において「一枚保存」ボタン７２１が押下された場合には、実行確認表示７３０が表示される（ステップＳ９８４）。
【０１１８】
実行確認表示７３０が表示されている場合に、実行確認表示７３０の何れのボタンが押下されたかが判定される（ステップＳ９８５）。実行確認表示７３０において「キャンセル」ボタン７３２が押下されると、ステップＳ９８１に戻る。一方、実行確認表示７３０において「実行」ボタン７３１が押下されると、ステップＳ９８１で選択操作および選択確定操作が行われたブラケット撮像画像に優先情報が付与される（ステップＳ９８６）。続いて、保存続行確認表示７４０が表示される（ステップＳ９８７）。
【０１１９】
保存続行確認表示７４０が表示されている場合に、保存続行確認表示７４０の何れのボタンが押下されたかが判定される（ステップＳ９８８）。保存続行確認表示７４０において「さらに保存」ボタン７４１が押下された場合には（ステップＳ９８８）、ステップＳ９８１に戻り次の優先画像を選択する処理が行われる。一方、保存続行確認表示７４０において「保存しない」ボタン７４２が押下された場合には（ステップＳ９８８）、終了確認表示７５０が表示される（ステップＳ９８９）。
【０１２０】
終了確認表示７５０が表示されている場合に、終了確認表示７５０の何れのボタンが押下されたが判定される（ステップＳ９９０）。終了確認表示７５０において「キャンセル」ボタン７５２が押下された場合には（ステップＳ９９０）、ステップＳ９８７に戻る。一方、終了確認表示７５０において「終了」ボタン７５１が押下された場合には（ステップＳ９９０）、優先情報付与処理の動作を終了し、図１４に示すステップＳ９７１に進む。
【０１２１】
記録モード選択表示７２０において「全数保存」ボタン７２２が押下された場合には（ステップＳ９８３）、実行確認表示７３０が表示される（ステップＳ９９１）。実行確認表示７３０が表示されている場合に、実行確認表示７３０の何れのボタンが押下されたかが判定される（ステップＳ９９２）。実行確認表示７３０において「キャンセル」ボタン７３２が押下された場合には（ステップＳ９９２）、ステップＳ９８１に戻る。一方、実行確認表示７３０において「実行」ボタン７３１が押下された場合には、記録モード選択画面７１０に表示されている全てのブラケット撮像画像に優先情報を付与する（ステップＳ９９３）。そして、優先情報付与処理の動作を終了し、図１４に示すステップＳ９７１に進む。
【０１２２】
記録モード選択表示７２０において「保存しない」ボタン７２３が押下された場合には（ステップＳ９８３）、終了確認表示７５０が表示される（ステップＳ９９４）。終了確認表示７５０が表示されている場合に、終了確認表示７５０の何れのボタンが押下されたかが判定される（ステップＳ９９５）。終了確認表示７５０において「キャンセル」ボタン７５２が押下された場合には（ステップＳ９９５）、ステップＳ９８１に戻る。一方、終了確認表示７５０において「終了」ボタン７５１が押下された場合には（ステップＳ９９５）、優先情報付与処理の動作を終了し、図１４に示すステップＳ９７１に進む。
【０１２３】
図１６は、本発明の実施の形態における撮像装置１００による画像表示処理の処理手順を示すフローチャートである。この画像表示処理は、表示制御部２０７により行われる。また、この例では、サムネイル画像一覧表示モードが設定された場合にはブラケット撮像画像の全てを表示し、サムネイル画像一覧表示モード以外の画像表示モードが設定された場合には、ブラケット撮像画像のうちの優先画像のみを表示する例について説明する。なお、ブラケット撮像画像以外の画像については、何れの画像表示モードが設定された場合でも、表示されるものとする。また、サムネイル画像一覧表示モード以外の画像表示モードとして、例えば、プレビュー表示モードやスライドショー表示モードがある。
【０１２４】
最初に、記録部２０６に記録されている画像を表示する画像表示モードが設定されたか否かが判断される（ステップＳ１００１）。画像表示モードが設定されていない場合には（ステップＳ１００１）、画像表示処理の動作を終了する。一方、画像表示モードが設定された場合には（ステップＳ１００１）、設定された画像表示モードが、サムネイル画像一覧表示モードであるか否かが判断される（ステップＳ１００２）。
【０１２５】
設定された画像表示モードがサムネイル画像一覧表示モードである場合には（ステップＳ１００２）、記録部２０６に記録されている画像が取得され（ステップＳ１００３）、取得された画像がサムネイル画像として表示部２０８に表示される（ステップＳ１００４）。続いて、記録部２０６に記録されている画像の全てが取得されたか否かが判断され（ステップＳ１００５）、画像の全てが取得されていない場合には（ステップＳ１００５）、ステップＳ１００３に戻る。一方、記録部２０６に記録されている画像の全てが取得されている場合には（ステップＳ１００５）、画像表示処理の動作を終了する。なお、表示部２０８に表示されるサムネイル画像が多数存在する場合には、スクロール表示等によりサムネイル画像の一覧表示が行われる。
【０１２６】
また、設定された画像表示モードがサムネイル画像一覧表示モードでない場合には（ステップＳ１００２）、優先情報に基づく画像表示処理が行われる（ステップＳ１０１０）。なお、この優先情報に基づく画像表示処理については、図１７を参照して詳細に説明する。なお、ステップＳ１０１０は、特許請求の範囲に記載の表示制御手順の一例である。
【０１２７】
図１７は、本発明の実施の形態における撮像装置１００による画像表示処理の処理手順のうちの優先情報に基づく画像表示処理手順（図１６に示すステップＳ１０１０の処理手順）を示すフローチャートである。
【０１２８】
最初に、記録部２０６に記録されている画像が取得され（ステップＳ１０１１）、取得された画像にグループ識別子が付与されているか否かが判断される（ステップＳ１０１２）。取得された画像にグループ識別子が付与されている場合には（ステップＳ１０１２）、取得された画像に付与されているグループ識別子と同一のグループ識別子が付与された他の画像が記録部２０６から取得される（ステップＳ１０１３）。続いて、同一の識別子が付与されている複数の画像の中で優先情報が付与されている画像が表示部２０８に表示される（ステップＳ１０１４）。ここで、同一の識別子が付与されている複数の画像の中で優先情報が付与されていない画像は、表示部２０８に表示されない。
【０１２９】
また、取得された画像にグループ識別子が付与されていない場合には（ステップＳ１０１２）、取得された画像が表示部２０８に表示される（ステップＳ１０１６）。
【０１３０】
続いて、記録部２０６に記録されている画像の全てが取得されたか否かが判断され（ステップＳ１０１５）、画像の全てが取得されていない場合には（ステップＳ１０１５）、ステップＳ１０１１に戻る。一方、記録部２０６に記録されている画像の全てが取得されている場合には（ステップＳ１０１５）、画像表示処理の動作を終了する。
【０１３１】
以上では、ユーザ設定ブラケット撮像条件が設定されている場合には、ユーザ設定ブラケット撮像条件と、オートブラケット撮像条件とを用いてブラケット撮像処理を行う場合を例にして説明した。また、ユーザ設定ブラケット撮像条件が設定されていない場合には、オートブラケット撮像条件を用いてブラケット撮像処理を行う場合を例にして説明した。ここで、例えば、設定されているブラケット撮像条件が、１つの撮像条件対象に関する撮像条件であるか否かに応じて、ブラケット撮像処理を行うようにしてもよい。そこで、以下では、設定されているブラケット撮像条件が、１つの撮像条件対象に関する撮像条件であるか、複数の撮像条件対象に関する撮像条件であるかに応じて、ブラケット撮像モードを変更する場合を例にして説明する。
【０１３２】
この例では、ブラケット撮像モードとして、シングルブラケット撮像モード、または、マルチブラケット撮像モードを設定してブラケット撮像処理を行う場合について説明する。シングルブラケット撮像モードは、同一の撮像条件対象について撮像パラメータを異なる値に設定した上で、この設定された撮像パラメータ毎に１つの画像を撮像部２０３に生成させるブラケット撮像モードである。例えば、シングルブラケット撮像モードは、１つの撮像条件対象（例えば、露出値）について、ユーザにより複数のパラメータが設定された場合に行われる撮像モードである。
【０１３３】
マルチブラケット撮像モードは、互いに異なる撮像条件対象について各撮像パラメータのうちの少なくとも１つが互いに異なるように複数の撮像条件を設定した上で、これらの撮像条件毎に１つの画像を撮像部２０３に生成させるブラケット撮像モードである。例えば、マルチブラケット撮像モードは、複数の撮像条件対象（例えば、露出値、絞り値、ＩＳＯ感度）について、自動撮像条件設定部２０４により各パラメータのうちの少なくとも１つが互いに異なるように設定された場合に行われる撮像モードである。また、複数の撮像条件対象について、自動撮像条件設定部２０４により設定された各パラメータと、ユーザにより設定された各パラメータとが用いられる場合についてもマルチブラケット撮像モードとすることができる。なお、シングルブラケット撮像モードまたはマルチブラケット撮像モードは、動作モード制御部２０２により設定される。なお、シングルブラケット撮像モードは、特許請求の範囲に記載の第１のブラケット撮像モードの一例である。また、マルチブラケット撮像モードは、特許請求の範囲に記載の第２のブラケット撮像モードの一例である。
【０１３４】
例えば、露出値（撮像条件対象）についてユーザにより複数のパラメータが設定されたシングルブラケット撮像モードによりブラケット撮像が行われる場合には、ユーザにより設定された撮像条件のみを用いてブラケット撮像が行われる。このため、ユーザの意に反してブラケット撮像画像が多数表示されることは少ないと予想される。そこで、以下では、シングルブラケット撮像モードによりブラケット撮像が行われる場合には、撮像画像にグループ識別子を付与しない例について説明する。
【０１３５】
また、記録制御部２０５は、シングルブラケット撮像モードが設定されている場合には、ブラケット撮像処理により生成された各撮像画像にグループ識別子を付与せずに、これらの各撮像画像を記録部２０６に記録させる。
【０１３６】
図１８は、本発明の実施の形態における撮像装置１００によるブラケット撮像画像記録処理の処理手順を示すフローチャートである。この処理手順は、図１１に示す処理手順の変形例であり、図１８に示すステップＳ９０８乃至Ｓ９１１以外の処理手順については、図１１に示す処理手順と同一であるため、ここでの説明を省略する。
【０１３７】
ブラケット撮像を開始させる開始指示操作が操作受付部２０１により受け付けられた場合には（ステップＳ９０２）、シングルブラケット撮像モードが設定されているか否かが判断される（ステップＳ９０８）。シングルブラケット撮像モードが設定されている場合には（ステップＳ９０８）、同一の撮像条件対象について設定された各パラメータを用いて撮像部２０３がブラケット撮像処理を行う（ステップＳ９１０）。続いて、記録制御部２０５は、同一のグループ識別子が付与されていない各撮像画像を記録部２０６に記録させる（ステップＳ９１１）。このように記録された撮像画像は、グループ識別子が付与されていないため、優先画像設定部２０９による優先画像の設定対象とはならない。
【０１３８】
一方、マルチブラケット撮像モードが設定されている場合には（ステップＳ９０８）、複数の撮像条件対象について設定された各パラメータを用いて撮像部２０３がブラケット撮像処理を行う（ステップＳ９０９）。続いて、記録制御部２０５は、撮像部２０３により生成された複数の撮像画像に、同一のグループ識別子を付与し（ステップＳ９０６）、同一のグループ識別子が付与された各撮像画像を記録部２０６に記録させる（ステップＳ９１１）。このように記録された撮像画像は、グループ識別子が付与されているため、優先画像設定部２０９による優先画像の設定対象となる。
【０１３９】
また、図２では、撮像装置１００の外側面に上下左右操作ボタン５１１や決定ボタン５１２等の操作部材を設けた例を示したが、例えば、撮像装置１００にタッチパネルを設け、このタッチパネルを用いて各操作を行うようにしてもよい。以下では、タッチパネルを設けた撮像装置の一例を示す。
【０１４０】
図１９は、本発明の実施の形態における撮像装置８００の外観構成例を示す図である。撮像装置８００は、ズームレンズ８０１と、フォーカスレンズ８０２と、絞り８０３と、イメージャ８０４と、閃光装置８０５と、液晶表示部８０６と、電源スイッチ８０７と、レリーズスイッチ８０８とを備える。ここで、撮像装置８００は、図２に示す撮像装置１００の一部を変形したものである。すなわち、撮像装置８００は、撮像装置１００における上下左右操作ボタン５１１等の操作部材の代わりに、液晶表示部８０６上に配置されたタッチパネルを用いて、液晶表示部８０６に表示される画像やボタン等の選択操作を行うデジタルスチルカメラである。
【０１４１】
例えば、液晶表示部８０６に表示される「ＺＯＯＭ」ボタン８０９や「ＭＯＤＥ」ボタン８１０等のボタンにユーザが直接画面に触れることによりそのボタンに対応する機能が実施される。また、画像選択時には、ユーザが直接画像に触れることにより、その画像を選択することができる。このようにタッチパネルを使用することにより、ユーザは直感的な操作入力を行うことができ、さらに選択のための入力ステップ数を大幅に削減することができる。なお、液晶表示部８０６以外の構成は、図２に示す撮像装置１００とほぼ同様であるため、ここでの説明を省略する。
【０１４２】
このように、本発明の実施の形態によれば、ブラケット撮像画像を表示して、これらのブラケット撮像画像の中からユーザ好みのブラケット撮像画像を優先画像として容易に選択することができる。また、ブラケット撮像により生成された撮像画像を全て記録しておき、ブラケット撮像動作の後に、優先画像を表示して選択することができるため、撮像画像を記録する際の失敗を減少させることができる。
【０１４３】
また、例えば、サムネイル画像表示モード以外の表示モードでは、ブラケット撮像画像もついては優先画像以外を表示させないため、大量のブラケット撮像画像が記録されている場合でも、探索や検索等の時間を短縮させることができる。例えば、スライドショー等では、同じような画像が続けて出現するといった不具合を回避することができる。なお、例えば、サムネイル画像表示モードでは、優先画像以外のブラケット撮像画像についても表示させるため、撮像装置１００に記録されている全ての画像を容易に確認することができる。
【０１４４】
また、ブラケット撮像条件としてユーザ設定ブラケット撮像条件とオートブラケット撮像条件とを組み合わせて設定することにより、ユーザ好みの画像を選択することができる可能性を高めることができる。これにより、撮像画像を記録する際の失敗をさらに減少させることができる。
【０１４５】
また、ユーザ嗜好を学習する際の材料としてブラケット撮像画像を利用することにより、撮像装置１００により設定される自動撮像条件をユーザに対してさらに最適化することができる。すなわち、ユーザ嗜好を考慮した自動撮像条件を容易に設定することができる。
【０１４６】
さらに、シングルブラケット撮像モードによりブラケット撮像が行われた場合には、優先画像の設定対象とせず、マルチブラケット撮像モードによりブラケット撮像が行われた場合には、優先画像の設定対象とする。このため、ユーザの意に沿うブラケット撮像画像は全てを表示させることができる。また、ユーザの意に反してブラケット撮像画像が多数表示されることを防止することができる。
【０１４７】
つまり、本発明の実施の形態によれば、露出値等の撮像条件を変化させながら複数回連続して撮像を行うブラケット撮像において、撮像された複数の画像の中からユーザが簡単かつ適切に好みの画像を選択することができるという優れた利点がある。また、ブラケット撮像により生成された複数の画像についてユーザ好みの画像を容易に表示させることができるという優れた利点がある。
【０１４８】
なお、本発明の実施の形態では、ブラケット撮像条件として、ユーザ設定ブラケット撮像条件および自動撮像条件の何れか１つ、または、これらの組み合わせを設定する場合を例にして示したが、これらの設定は、ユーザ操作に従って行われるようにしてもよい。また、ブラケット撮像条件のそれぞれの撮像条件に優先順位を設定しておき、優先画像を選択する際には、優先順位の高い撮像条件のブラケット撮像画像を先に表示させるようにしてもよい。
【０１４９】
また、本発明の実施の形態では、優先画像をメインフォルダに割り当て、優先画像として選択されなかったブラケット撮像画像をサブフォルダに割り当てる例について説明した。しかし、優先画像の選択操作が終了した後も、全てのブラケット撮像画像を同一のフォルダに割り当てて記録しておくようにしてもよい。このように、全てのブラケット撮像画像を同一のフォルダに割り当てた状態で表示を行う場合には、優先情報を参照して表示を行う。例えば、プレビュー表示やスライドショー表示等の際には、優先情報が付与された優先画像のみを表示するように制御することができる。
【０１５０】
また、本発明の実施の形態では、ユーザにより優先画像の選択操作が行われた場合には、選択された優先画像に優先情報を付与する例について説明した。しかし、優先画像と、優先画像として選択されなかったブラケット撮像画像とを、例えば、フォルダにより区別するようにしてもよい。例えば、選択された優先画像に優先情報を付与せずに、優先画像をメインフォルダに割り当て、優先画像として選択されなかったブラケット撮像画像をサブフォルダに割り当てる。そして、優先画像の表示を行う場合には、フォルダを参照して表示を行う。例えば、プレビュー表示やスライドショー表示等の際には、メインフォルダに割り当てられているブラケット撮像画像（優先画像）のみを表示するように制御することができる。
【０１５１】
また、本発明の実施の形態では、優先画像の選択操作が終了した後も、ブラケット撮像画像の全てを記録しておく例について説明した。しかし、例えば、記録部２０６の記憶領域が減少してきた場合には、サブフォルダに割り当てて記録されたブラケット撮像画像を順次消去するようにしてもよい。この場合には、例えば、記録された時刻の順序で消去することができる。また、記録部２０６は、ブラケット撮像画像を長期間記録することができるものを用いることが望ましい。しかし、ブラケット撮像画像を一時的に記録することができるバッファ等を記録部２０６として使用し、所定のタイミングで記録部２０６から他のメモリにブラケット撮像画像を転送するようにしてもよい。
【０１５２】
また、本発明の実施の形態では、ユーザ嗜好判断部２１０が、ユーザ嗜好を解析する時期を特に指定しなかったが、例えば、撮像装置１００による撮像処理のバックグラウンドで、嗜好解析を行うものとしてもよい。この場合、選択されなかったブラケット撮像画像を全て記録しておくことにより、ユーザ嗜好を解析するのに十分な時間を得ることができ、統計的な処理を実施できるため、有効に嗜好解析を実施することができる。またこれらの処理で学習した内容は、買い替え時、故障時の基板交換等によって、引き継ぐことを可能としてもよく、また外部から転送された画像を使用して、再度嗜好解析を行うものとしてもよい。
【０１５３】
また、本発明の実施の形態では、ユーザによる優先画像の選択は、ユーザにより優先画像選択モードの設定指示操作がされた後に行う場合を例にして説明したが、ブラケット撮像動作の直後、または、一定時間経過後に行うようにしてもよい。この場合には、例えば、ブラケット撮像動作の直後、または、一定時間経過後にブラケット撮像画像の一覧表示を自動で行うようにすることができる。また、ユーザによる優先画像の選択時期をユーザが設定するようにしてもよい。また、表示モードが設定されている場合に、この表示モードでの再生時に、ユーザによる優先画像の選択を順次行うようにしてもよい。
【０１５４】
また、本発明の実施の形態では、ブラケット撮像画像を表示させることが可能な撮像装置を例にして説明したが、画像を表示させることが可能なパーソナルコンピュータ等の表示制御装置に本発明の実施の形態を適用することができる。また、本発明の実施の形態では、撮像装置に備えられている操作部材を用いて優先画像の選択操作等を行う例について説明したが、例えば、外部装置からの操作入力を無線通信により受け付け、この操作入力に応じて優先画像の選択処理等を行うようにしてもよい。また、本発明の実施の形態では、撮像装置の表示部に画像を表示させる例について説明したが、例えば、画像を表示させるための表示情報を外部装置に出力し、この外部装置に画像を表示させる場合についても本発明の実施の形態を適用することができる。
【０１５５】
なお、本発明の実施の形態は本発明を具現化するための一例を示したものであり、上述のように特許請求の範囲における発明特定事項とそれぞれ対応関係を有する。ただし、本発明は実施の形態に限定されるものではなく、本発明の要旨を逸脱しない範囲において種々の変形を施すことができる。
【０１５６】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【図面の簡単な説明】
【０１５７】
【図１】本発明の実施の形態における撮像装置１００の内部構成例を示すブロック図である。
【図２】本発明の実施の形態における撮像装置１００の外観構成例を示す図である。
【図３】本発明の実施の形態における撮像装置１００の機能構成例を示すブロック図である。
【図４】本発明の実施の形態における記録部２０６に記録されるデータのフォルダ構成例を示す図である。
【図５】ＤＣＦ規格により記録される静止画像ファイルのファイル構造の概略を示す図である。プ
【図６】本発明の実施の形態における表示部２０８に表示されるブラケット撮像画像の表示例を示す図である。
【図７】本発明の実施の形態における表示部２０８に表示されているブラケット撮像画像の中から優先画像を選択する際の表示例を示す図である。
【図８】本発明の実施の形態における表示部２０８に表示されているブラケット撮像画像の中から優先画像を選択する際の他の表示例を示す図である。
【図９】本発明の実施の形態における表示部２０８に表示されているブラケット撮像画像の中から優先画像を選択する際の表示例を示す図である。
【図１０】本発明の実施の形態における表示部２０８に表示されているブラケット撮像画像の中から優先画像を選択する際に用いられる各ボタンの表示例を示す図である。
【図１１】本発明の実施の形態における撮像装置１００によるブラケット撮像画像記録処理の処理手順を示すフローチャートである。
【図１２】本発明の実施の形態における撮像装置１００による自動撮像条件設定処理の処理手順を示すフローチャートである。
【図１３】本発明の実施の形態における撮像装置１００による自動撮像条件設定処理の処理手順を示すフローチャートである。
【図１４】本発明の実施の形態における撮像装置１００による優先画像選択処理の処理手順を示すフローチャートである。
【図１５】本発明の実施の形態における撮像装置１００による優先画像選択処理の処理手順の処理手順のうちの優先情報付与処理手順を示すフローチャートである。
【図１６】本発明の実施の形態における撮像装置１００による画像表示処理の処理手順を示すフローチャートである。
【図１７】本発明の実施の形態における撮像装置１００による画像表示処理の処理手順のうちの優先情報に基づく画像表示処理手順を示すフローチャートである。
【図１８】本発明の実施の形態における撮像装置１００によるブラケット撮像画像記録処理の処理手順を示すフローチャートである。
【図１９】本発明の実施の形態における撮像装置８００の外観構成例を示す図である。
【符号の説明】
【０１５８】
１００  撮像装置
１０１  システムバス
１０２  レンズ
１０３  絞り機構
１０４  撮像素子
１０５  アナログ信号処理部
１０６  Ａ／Ｄ変換部
１０７  レンズ駆動モータ
１０８  絞り駆動モータ
１０９  モータドライバ
１１０  垂直ドライバ
１１２  ジャイロセンサ
１１３  閃光発光部
１１４  操作部
１１５  デジタル信号処理部
１１６  モニタ
１１７  記録デバイス
１１８  画像認識部
１２０  制御部
１２１  プロセッサ
１２２  ＲＯＭ
１２３  ＲＡＭ
１２４  ＥＥＰＲＯＭ
２０１  操作受付部
２０２  動作モード制御部
２０３  撮像部
２０４  自動撮像条件設定部
２０５  記録制御部
２０６  記録部
２０７  表示制御部
２０８  表示部
２０９  優先画像設定部
２１０  ユーザ嗜好判断部
５０１  ズームレンズ
５０２  フォーカスレンズ
５０３  絞り
５０４  イメージャ
５０５  閃光装置
５０６  液晶表示部
５０７  電源スイッチ
５０８  レリーズスイッチ
５０９  ズームボタン
５１０  モードダイヤル
５１１  上下左右操作ボタン
５１２  決定ボタン
５１３  キャンセルボタン
【図１】
0005083090.tif 000002
【図２】
0005083090.tif 000003
【図３】
0005083090.tif 000004
【図４】
0005083090.tif 000005
【図５】
0005083090.tif 000006
【図１０】
0005083090.tif 000007
【図１１】
0005083090.tif 000008
【図１２】
0005083090.tif 000009
【図１３】
0005083090.tif 000010
【図１４】
0005083090.tif 000011
【図１５】
0005083090.tif 000012
【図１６】
0005083090.tif 000013
【図１７】
0005083090.tif 000014
【図１８】
0005083090.tif 000015
【図１９】
0005083090.tif 000016
【図６】
0005083090.tif 000017
【図７】
0005083090.tif 000018
【図８】
0005083090.tif 000019
【図９】
0005083090.tif 000020